(57)【特許請求の範囲】
【請求項１】
建造物の表面に略平行に当接する当接面をもつ板状の支承部と、
前記建造物から所定距離離れて設置される足場に固定する固定部と、
一端が前記当接面の裏側の略中央に接続し、他端が前記固定部に接続する腕部と、
前記支承部の前記当接面及び前記建造物の前記表面の間に位置して前記表面に当接し前記当接面よりも面積が大きく平らな拡大当接面と、前記支承部の少なくとも２辺の外縁を覆うように前記当接面の裏側まで前記拡大当接面から延長形成される折り返し部と、前記当接面と前記拡大当接面とが平行に相対移動して前記支承部が挿脱できる開口と、を備える補助当接体と、
を有することを特徴とする足場取付具。
【請求項２】
前記当接面は、前記建造物の突出部の笠木に接触しないように当接する請求項１に記載の足場取付具。
【請求項３】
前記支承部は、前記突出部を挟んで略同じ位置で固定される請求項２に記載の足場取付具。
【請求項４】
前記腕部の長さは、前記突出部に合わせて調整可能である請求項２又は３に記載の足場取付具。
【請求項５】
前記腕部は前記固定部に接続される腕延長部及び前記支承部に接続される腕回動部を有し、前記腕延長部と前記腕回動部とが略直角に一体成形されたＬ字状であり、
前記腕回動部は前記支承部の前記当接面に対して角度を自在に変更可能である請求項１〜４の何れか１項に記載の足場取付具。
【発明の詳細な説明】
【技術分野】
【０００１】
本発明は、建造物の外周に設置する足場を建造物に取り付ける足場取付具に関する。
【背景技術】
【０００２】
従来から、完成した建造物の外壁や外装のメンテナンス、建造物のリフォームに際して、建造物の外周に、作業をするための足場が配設される。足場は、特許文献１や図１０のような取付構造によって、建造物に固定することで、足場を揺れたりしにくく設置することができる。
【先行技術文献】
【特許文献】
【０００３】
【特許文献１】特開２００７−１２６８２９号公報
【発明の概要】
【発明が解決しようとする課題】
【０００４】
しかし、上記した特許文献１の方法では、建造物の外壁に穴を開けるため、足場を取り外した後に、美観上、穴を埋め、穴を開けたことを隠す必要がある。また、図１０に示される取付構造は、足場８の支柱８１から建造物に向かって渡された棒状体８２の鍵状に曲がった一端（鍵状部８２１）を外壁９１の一面側に当接させ、外壁９１の他面側にクランプ（締め付け具）８３を配設する。クランプ８３は、棒状体８２に圧着保持されており、クランプ８３を締め付けることで、クランプ８３と棒状体８２の鍵状部８２１で足場８を建造物に取り付ける。図１０に示される方法では、外壁の上端部に笠木９２などが設置されている場合、足場８が安定するように固定するためのクランプ８３の締め付けの加減が難しく、笠木９２などを損傷するおそれがある。
【０００５】
本発明は、上記課題に鑑みてなされたもので、建造物を損傷することなく、且つ揺れにくい安定した足場を設置することができる足場取付具を提供することを解決すべき課題とする。
【課題を解決するための手段】
【０００６】
上記課題を解決するための請求項１に係る発明の構成上の特徴は、建造物の表面に略平行に当接する当接面をもつ板状の支承部と、
前記建造物から所定距離離れて設置される足場に固定する固定部と、
一端が前記当接面の裏側の略中央に接続し、他端が前記固定部に接続する腕部と、
前記支承部の前記当接面及び前記建造物の前記表面の間に位置して前記表面に当接し前記当接面よりも面積が大きく平らな拡大当接面と、前記支承部の少なくとも２辺の外縁を覆うように前記当接面の裏側まで前記拡大当接面から延長形成される折り返し部と、前記当接面と前記拡大当接面とが平行に相対移動して前記支承部が挿脱できる開口と、を備える補助当接体と、
を有することである。
【０００７】
また請求項２に係る発明の構成上の特徴は、請求項１において、前記当接面が、前記突出部の笠木に接触しないように当接することである。
【０００８】
また請求項３に係る発明の構成上の特徴は、請求項２において、前記支承部が、前記突出部を挟んで略同じ位置で固定されることである。
【０００９】
また請求項４に係る発明の構成上の特徴は、請求項２又は３において、前記腕部の長さは、前記突出部に合わせて調整可能であることである。
【００１０】
また請求項５に係る発明の構成上の特徴は、請求項１〜４において、前記腕部は前記固定部に接続される腕延長部及び前記支承部に接続される腕回動部を有し、前記腕延長部と前記腕回動部とが略直角に一体成形されたＬ字状であり、
前記腕回動部は前記支承部の前記当接面に対して角度を自在に変更可能であることを特徴とする。
【発明の効果】
【００１１】
請求項１に係る発明においては、建造物の突出部を２つの足場取付具の当接面で挟み込み、各足場取付具を足場に固定することで、建造物に足場が固定される。建造物に対しては２つの当接面で挟み込むため、建造物に孔を開けるなどの傷をつけることはない。また、当接面で建造物の突出部を挟み込み固定部で足場に固定することで、足場が建造物に固定されるため、足場は揺れにくく安定して設置することができる。
【００１２】
請求項２に係る発明においては、笠木を避けて当接面を建造物に当接させることで、建造物の損傷を回避できる上、足場を安定して設置することができる。
【００１３】
請求項３に係る発明においては、突出部を挟む当接面を同じ位置にすることで、より安定した足場を設置することができる。
【００１４】
請求項４に係る発明においては、腕部の長さを調整することができるため、突出部の形状に合わせることや建造物の損傷を避けられる箇所に足場取付具を取り付け易くなる。
【００１５】
また、請求項１に係る発明においては、支承部の当接面及び建造物の表面の間に補助当接体を介することで、建造物の表面にかかっていた当接面からの圧力が、当接面よりも面積の大きい拡大当接面によって加えられるため、分散される。建造物の表面への圧力が分散されることで、単位あたりの圧力が小さくなり、建造物への負担が小さくなる。そして、広い面積によって足場取付具を建造物に取り付けることができるため、より安定して足場を建造物に固定することができる。
【図面の簡単な説明】
【００１６】
【図１】本実施形態１の足場取付具１１の構成を示す説明図である。
【図２】本実施形態１の足場取付具１１の支承部２の形状を示す説明図である。
【図３】本実施形態１の足場取付具１１を取り付けている一例を示す説明図である。
【図４】本実施形態１の足場取付具１１を取り付けている一例を示す説明図である。
【図５】本実施形態１の足場取付具１１の構成を示す説明図である。
【図６】本実施形態２の足場取付具１２の一部構成を示す説明図である。
【図７】本実施形態２の足場取付具１２を取り付けている一例を示す説明図である。
【図８】本実施形態３の足場取付具１３を取り付けている一例を示す説明図である。
【図９】本実施形態３の足場取付具１３の一部構成を示す説明図である。
【図１０】足場を建造物に取り付ける従来の構成を示す説明図である。
【発明を実施するための形態】
【００１７】
本発明の代表的な実施形態を図１〜図５を参照して説明する。本実施形態に係る足場取付具は、建造物の外周に設置する足場を建造物に取り付けるために用いられる。
【００１８】
（実施形態１）
本実施形態１の足場取付具１１は、図１及び図２に示されるように、支承部２と固定部３と腕部４とを有する。
【００１９】
支承部２は、後述する腕部４の一端が取り付けられる反対側の面が平で、建造物の外壁（突出部）９１と平行な当接面２１を有する。支承部２は、面取りされた四角形をしている。なお、支承部２の形状は、四角形に限定されるものではなく、当接面２１が外壁９１に当接できる平面状あれば、円形、楕円形、長方形など、どのような形状であっても良い。また、支承部２の厚みも適切な厚みであり、用いる素材の堅さも考慮でき、特に厚くとも薄くとも限定されない。
【００２０】
固定部３は、１対の狭持片３１、３２と、支持軸３３と、ボルト３４と、ナット３５とを有し、後述する腕部４の他端と挟持片３１とが一体的に結合する。挟持片３１、３２は、一端が支持軸３３によって枢着され、支持軸３３を支点に足場の棒状の部材を挟む。ボルト３４は、頭部が挟込片３１の端部に回動自在に軸着しており、ナット３５が螺合する。固定部３は、ボルト３４の端部を挟持片３２の端部の凹部３６に係止し、ナット３５を締め付けることで、挟持片３１、３２で足場の棒状の部材を締め付けて固定される。
【００２１】
腕部４は、腕固定部４１と腕延長部４２とを有し、腕固定部４１と腕延長部４２とが略直角に一体形成されたＬ字状をしている。腕固定部４１は支承部２の当接面２１の裏側の面２２から略直角に突出しており、腕延長部４２は当接面２１（外壁９１）と略平行になるように腕固定部４１から略直角に曲がり、延長形成されている。腕固定部４１の長さは、外壁９１の出っ張りや笠木９２などを、外壁９１から直角方向に接触しない程度の長さである。
【００２２】
次に、本実施形態１の足場取付具１１の使用方法を説明する。図３及び図４は、建造物と足場との一部を模式的に表した図である。まず、足場８は、建造物の外周側から所定距離離れた位置に立設された複数の長尺な支柱（例えば、円筒状支柱）８１と、各支柱８１間に水平方向に沿って掛け渡された複数の踏板（図示略）と、各支柱８１間に水平に沿って掛け渡された複数の横桟（図示略）と、によって組まれる。踏板は、垂直方向で、作業者が必要な箇所で作業ができる位置、横桟も垂直方向で、作業者が手すりとして利用できる位置にそれぞれ配置する。更に、足場８の支柱８１から建造物のベランダなどのように突出した外壁９１の開放端部に向かって渡される長尺な横部材（棒状体）８２をクランプ８４によって、支柱８１に締結固定する。クランプ８４は、棒状体を固定することができるものであれば、公知の部材を用いることができる。
【００２３】
本実施形態１の足場取付具１１は、建造物のベランダなどのように突出した外壁９１の内壁面９３と外壁面９４とにそれぞれ別の足場取付具１１の支承部２の当接面２１を当接する。当接面２１は、ベランダや屋上の上端部に取り付けられている笠木９２に接触しない箇所（高さ）で、突出した外壁９１を二つの当接面２１で挟み込むように配設する。よって、腕部４の腕延長部４２の長さは、外壁９１の出っ張りや笠木９２などに当接面２１が接触しないよう、外壁９１と略平行方向で避けられる程度の長さが望ましい。最後に、それぞれの固定部３を横部材８２に固定する。足場取付具１１は、１対で建造物の外壁９１を挟み込み、固定部４で足場８に固定されるため、足場８が建造物に固定される。
【００２４】
なお、当接面２１は、必ずしも外壁９１を挟んで同じ位置（高さ）である必要はない。図４に示されるように、足場取付具１１を取り付ける外壁９１の形状に合わせて、腕延長部４１の長さの異なる足場取付具１１を用いて、外壁９１を挟み込むことができる。
【００２５】
また、足場取付具１１は、図５に示されるように、腕延長部４１の長さが調節可能とすることで、足場８を組む現場にて、外壁９１の形状に合わせた長さを選択することができる。あるいは、図１に示されるように、腕延長部４１の長さを固定とし、複数の長さの足場取付具１１を使い分けることも可能である。
【００２６】
（作用効果）
本実施形態１の足場取付具１１によれば、建造物に対しては２つの当接面２１で挟み込むため、外壁９１に孔を開けることなく、足場８を建造物に固定できる。そして、当接面２１で建造物の外壁９１を挟み込み、固定部３で足場取付具１１を足場８に固定することで、足場８を建造物に固定するため、足場８は揺れにくく安定して設置することができる。
【００２７】
また、腕延長部４２の長さを調節（選択）することで、笠木９２などを避けて当接面２１を建造物に当接させるため、建造物の損傷を回避できる。
【００２８】
（実施形態２）
実施形態２の足場取付具１２は、実施形態１の足場取付具１１と基本的に同様の構成及び作用効果を有する。以下では、異なる構成及び作用効果を中心に説明する。
【００２９】
本実施形態２の足場取付具１２は、図６及び７に示されるように、支承部２に補助当接体５が保持されている。補助当接体５は、支承部２の当接面２１と外壁９１との間に配設される。図６に示される補助当接体５は、支承部２より一回り大きい四角形をしており、図７に示される補助当接体５は、長方形をしている。補助当接体５は、支承部２の当接面２１より面積の大きい拡大当接面５１を有し、拡大当接面５１が外壁９１の表面に当接する。そして、当接面２１と当接する拡大当接面５１の裏側は、支承部２が保持される保持部５２を有する。保持部５２は、図６に示されるような支承部２が嵌め込まれる窪み５２１と、窪み５２１の側面の対向する箇所に爪状の係止部５２２と、を有する構成を採用したり、図７に示されるような長手方向の一方から支承部２をスライド挿入できる形状を採用したりすることができる。
【００３０】
補助当接体５は、拡大当接面５１が支承部２の当接面２１より面積が広いため、当接面２１だけで足場取付具１２を外壁９１に固定させる場合に比べて、より安定して固定することができる。また、外壁９１表面に対して、単位面積あたりの圧力が小さくなるため、外壁９１への負担が軽減する。補助当接体５の材料としては、一般的な足場部材と同じ金属製を用いることもできる。また、プラスチック材を採用することで、外壁表面への密着度がアップする上、外壁への負担を軽減させることができる。
【００３１】
（実施形態３）
実施形態３の足場取付具１３は、実施形態１の足場取付具１１と基本的に同様の構成及び作用効果を有する。以下では、異なる構成及び作用効果を中心に説明する。
【００３２】
実施形態３の足場取付具１３は、図８及び９に示されるように、腕部４が腕延長部４２と腕回動部４３とを有し、腕延長部４２と腕回動部４３とが略直角に一体形成されたＬ字状をしている。腕延長部４２は、一端が固定部３されており、足場８の横部材２から略直角に突設される。腕回動部４３は、支承部２の裏側面２２に対して角度を自在に変更可能に、一端が支承部２に軸支（係合）されている。腕回動部４３の一端には、図９に示されるように、支承部２の裏側面２２に対して平行に突出した突起部４３１を有する。支承部２は、裏側面２２から突設し、突起部４３１が挿入する孔２３１が形成された軸支部２３が形成されている。つまり、支承部２と腕回動部４３とは、略直角の位置で固定されるとは限らない。支承部２と腕部４との係合は、図９に示されるものに限定されず、支承部２と腕部４との角度が自在に変更することができるものであればよい。そのため、支承部２及び腕部４は、市販されているいわゆる自在ジャッキを用いることができる。なお、腕部４の形状をＬ字状とはせず、Ｉ字状とすることもできる。
【００３３】
本実施形態３の足場取付具１３は、図８に示されるように、挟み込む外壁９１の内壁面９３と外壁面９５とが平行の関係になく、一方が傾斜している場合において、支承部２と腕回動部４３との角度が調節され、支承部２の当接面２１が外壁面９５に当接することができる。図８の外壁９１に対しては、内壁面９３側を実施形態１の足場取付具１１を用い、外壁面９５側を足場取付具１３を用いている。両方の壁面に対して、足場取付具１３を用いることもでき、また壁面と当接面２１との間に、実施形態２の足場取付具１２の補助当接体５を設置することもできる。
【００３４】
本実施形態３の足場取付具１３によれば、傾斜する外壁９１面にも支承部２の当接面２１を当接し、固定部３によって足場８と固定することができるため、建造物の形状が限定されることなく、足場８を建造物に固定することができる。
【００３５】
（その他の実施形態）
以上、本発明の好適な実施形態について説明したが、本発明は上記実施形態に限定されるものではない。固定部３は、腕部４の腕延長部４２の一端に一体形成されているが、１つの固定部３が２つの棒状体を別々に締め付けて圧着保持できる形式の締結具を用いることができる。固定部３が腕延長部４２に固定されていない場合、腕延長部４２のどこにでも固定部３を固定できるため、腕延長部４２の長さを調節せずに外壁９１などの適当な場所に当接面２１を当接させることができる。
【００３６】
また、支承部２は、既存の足場の構成する部材を用いることができる。支柱は、支柱を安定して立設できるように、平らな接地面を有する板状部分をもつ部材を下方に取り付けられる。この部材を支承部２に転用することで、新たな部材の購入もなく、多くの種類の部材を取り扱うことによる煩雑さを解消でき、足場の組み立てもスムーズに進めることができる。
【符号の説明】
【００３７】
１１，１２，１３・・・足場取付具、
２・・・支承部、  ２１・・・当接面、  ２２・・・裏側面、２３・・・軸支部、
３・・・固定部、  ３１，３２・・・狭持片、  ３３・・・支持軸、  ３４・・・ボルト、
３５・・・ナット、  ３６・・・凹部、
４・・・腕部、  ４１・・・腕固定部、  ４２・・・腕延長部、４３・・・腕回動部、
５・・・補助当接体、  ５１・・・拡大当接面、  ５２・・・保持部、
８・・・足場、  ８１・・・支柱、  ８２・・・横部材（棒状体）、
８３，８４・・・クランプ、
９１・・・外壁（突出部）、  ９２・・・笠木、  ９３・・・内壁面、
９４，９５・・・外壁面。
【図１】
0005762760.tif 000002
【図２】
0005762760.tif 000003
【図３】
0005762760.tif 000004
【図４】
0005762760.tif 000005
【図５】
0005762760.tif 000006
【図６】
0005762760.tif 000007
【図７】
0005762760.tif 000008
【図８】
0005762760.tif 000009
【図９】
0005762760.tif 000010
【図１０】
0005762760.tif 000011